(57)【要約】【課題】  撮影作業の連続性が失われることを防止することができる閃光装置設置機構及び撮像装置を提供する。【解決手段】  ケース本体上にポップアップ動作可能に設けられる閃光装置１０と、ストロボケース１８に一体的に設けられた第１突起部２２と、閃光装置１０のポップアップ動作を駆動する駆動手段２０と、閃光装置１０のポップアップ動作を禁止するように第１突起部２２に係止する突起係止部２４ａと、突起係止部２４ａと第１突起部２２との係止状態を解除して閃光装置１０のポップアップ動作を起動させるポップアップ起動部２４ｂとを備え、ポップアップ起動部２４ｂが突起係止部２４ａと一体に構成されると共に、ポップアップ起動部２４ｂがケース本体の撮影者側に設けられている。【選択図】      図２
2005284091.tif 000002
【特許請求の範囲】
【請求項１】
ケース本体上にポップアップ動作可能に設けられ、閃光を発生する閃光発光部と、ポップアップ動作の支点となるポップアップ回転軸と、前記閃光発光部を外部に露出させるように設け前記ポップアップ回転軸の少なくとも一部を覆うストロボケースとを有する閃光装置と、
前記ストロボケースに一体的に設けられた第１突起部と、
前記閃光装置のポップアップ動作を駆動する駆動手段と、
前記閃光装置のポップアップ動作を禁止するように前記第１突起部に係止する突起係止部と、
前記突起係止部と前記第１突起部との係止状態を解除して前記閃光装置のポップアップ動作を起動させるポップアップ起動部とを備え、
前記ポップアップ起動部が前記突起係止部と一体に構成され、または突起係止部に連接された部材により構成されると共に、
前記ポップアップ起動部がケース本体の撮影者側に設けられていることを特徴とする閃光装置設置機構。
【請求項２】
請求項１に記載の閃光装置設置機構であって、
前記閃光装置のポップアップ動作時に前記第１突起部が当接して閃光装置のそれ以上の回転を停止させ且つ閃光装置をその状態に維持するポップアップ停止部をケース本体側の静止部に設けたことを特徴とする閃光装置設置機構。
【請求項３】
請求項１に記載の閃光装置設置機構であって、
ケース本体側の静止部に設けられ前記閃光装置がポップアップ動作して使用可能となったことを検知する状態検出スイッチと、
前記状態検出スイッチの検出部を前記閃光装置のポップアップ動作時に押圧するスイッチ押圧部とを備え、
前記スイッチ押圧部は前記ストロボケースに第２突起部として一体的に形成されていることを特徴とする閃光装置設置機構。
【請求項４】
請求項２に記載の閃光装置設置機構であって、
前記閃光装置の下側に設けられ閃光装置が寝かされた状態においてこの閃光装置を収納する収納ケースを備え、
前記ポップアップ停止部が前記収納ケースの一部に形成されていることを特徴とする閃光装置設置機構。
【請求項５】
ケース本体上にポップアップ動作可能に設けられ、閃光を発生する閃光発光部と、ポップアップ動作の支点となるポップアップ回転軸と、前記閃光発光部を外部に露出させるように設け前記ポップアップ回転軸の少なくとも一部を覆うストロボケースとを有する閃光装置と、
前記ストロボケースに一体的に設けられた第１突起部と、
前記閃光装置のポップアップ動作を駆動する駆動手段と、
前記閃光装置のポップアップ動作を禁止するように前記第１突起部に係止する突起係止部と、
前記突起係止部と前記第１突起部との係止状態を解除して前記閃光装置のポップアップ動作を起動させるポップアップ起動部とを備え、
前記ポップアップ起動部が前記突起係止部と一体に構成され、または突起係止部に連接された部材により構成されると共に、
前記ポップアップ起動部がケース本体の撮影者側に設けられている閃光装置設置機構を備えたことを特徴とする撮像装置。
【請求項６】
請求項５に記載の撮像装置であって、
閃光装置の非使用時には閃光装置は寝かせて収納ケースに収納されており、
閃光装置の使用時には閃光装置はポップアップ起動部の操作により起き上がるようポップアップ動作し、
前記ポップアップ起動部はケース本体の撮影者側に設けられていることを特徴とする撮像装置。
【請求項７】
請求項６に記載の撮像装置であって、
前記ポップアップ起動部は前記閃光装置の近傍に設けられていることを特徴とする撮像装置。
【発明の詳細な説明】
【技術分野】
【０００１】
本発明は、撮像装置が撮像する被写体の光度不足を補うために被写体に向けて発光動作を行なう閃光装置をケース本体に設けるための閃光装置設置機構及び撮像装置に関するものである。
【背景技術】
【０００２】
従来の、ストロボ装置のような閃光装置を設けた撮像装置のカメラとしては、例えば、以下の特許文献１、２に記載されたものがあった。これらの従来のカメラは、その閃光装置を使うときはそれを起き上がらせるポップアップ動作をさせ、閃光装置を使わないときはそれを寝かせて収納することができるようになっている。
【特許文献１】特開平５−２２１２号公報
【特許文献２】特開平９−０５００６６号公報
【発明の開示】
【発明が解決しようとする課題】
【０００３】
しかしながら、特許文献１に係る従来の技術にあっては、閃光装置のポップアップ動作を起動させるためのボタンｂがカメラの上面に設けられているので、閃光装置をポップアップ動作させるためにはカメラの上面を見ながらボタンｂを探して、それからそのボタンｂを押す操作をしなければならない。
【０００４】
このため、閃光装置をポップアップ動作させるためには、それまで撮影者がファインダ窓を覗いていた場合は、撮影者は一旦ファインダ窓から目を離してカメラの上面を見なければならず、その結果撮影作業の連続性が失われて、シャッタチャンスを逃したり、カメラの操作性を劣化させる等の問題があった。
【０００５】
そこで本発明は、上記問題点に鑑みて、撮影作業の連続性が失われることを防止することができる閃光装置設置機構及び撮像装置を提供することを課題とするものである。
【課題を解決するための手段】
【０００６】
上記課題を解決するために、本発明の閃光装置設置機構は、
ケース本体上にポップアップ動作可能に設けられ、閃光を発生する閃光発光部と、ポップアップ動作の支点となるポップアップ回転軸と、前記閃光発光部を外部に露出させるように設け前記ポップアップ回転軸の少なくとも一部を覆うストロボケースとを有する閃光装置と、
前記ストロボケースに一体的に設けられた第１突起部と、
前記閃光装置のポップアップ動作を駆動する駆動手段と、
前記閃光装置のポップアップ動作を禁止するように前記第１突起部に係止する突起係止部と、
前記突起係止部と前記第１突起部との係止状態を解除して前記閃光装置のポップアップ動作を起動させるポップアップ起動部とを備え、
前記ポップアップ起動部が前記突起係止部と一体に構成され、または突起係止部に連接された部材により構成されると共に、
前記ポップアップ起動部がケース本体の撮影者側に設けられていることを特徴とするものである。
【０００７】
また、上記課題を解決するために、本発明の撮像装置は、
ケース本体上にポップアップ動作可能に設けられ、閃光を発生する閃光発光部と、ポップアップ動作の支点となるポップアップ回転軸と、前記閃光発光部を外部に露出させるように設け前記ポップアップ回転軸の少なくとも一部を覆うストロボケースとを有する閃光装置と、
前記ストロボケースに一体的に設けられた第１突起部と、
前記閃光装置のポップアップ動作を駆動する駆動手段と、
前記閃光装置のポップアップ動作を禁止するように前記第１突起部に係止する突起係止部と、
前記突起係止部と前記第１突起部との係止状態を解除して前記閃光装置のポップアップ動作を起動させるポップアップ起動部とを備え、
前記ポップアップ起動部が前記突起係止部と一体に構成され、または突起係止部に連接された部材により構成されると共に、
前記ポップアップ起動部がケース本体の撮影者側に設けられている閃光装置設置機構を備えたことを特徴とするものである。
【発明の効果】
【０００８】
上記のような構成の閃光装置設置機構及び撮像装置によれば、閃光装置のポップアップ動作を起動するポップアップ起動部が、ケース本体の被写体側と反対側の撮影者側から操作可能に設けられているので、撮影者はファインダ窓を覗きながらでもポップアップ起動部の操作を行なうことができるため、撮影作業の連続性が失われることを防止することができる。
【発明を実施するための最良の形態】
【０００９】
以下、本発明の実施の形態について、図面に基づいて具体的に説明する。
図１ないし図８は、本発明による閃光装置設置機構及び撮像装置の一実施の形態について説明するために参照する図である。
【００１０】
図１、２は、カメラ４０（撮像装置、図５ないし８参照）のケース本体４２の上部に設けられるストロボ装置１０（閃光装置）を示す図であり、図１はそのストロボ装置１０が寝かされて収納ケース１２内に収納された状態を示す側面断面図、図２はストロボ装置１０が起き上がるポップアップ動作を終了した状態を示す側面断面図である。
【００１１】
ストロボ装置１０のポップアップ動作は、回転軸１４（ポップアップ回転軸）の周りにストロボ装置１０が回転することにより行われ、ストロボ装置１０が寝かされて収納されるときも、回転軸１４の周りにストロボ装置１０が回転することにより行われるようになっている。
【００１２】
ストロボ装置１０の回転軸１４と反対側の端部には、閃光を発生する閃光発光部１６が設けられている。この閃光発光部１６は、それに接続された図示してない配線や制御回路により制御されて、それから閃光を発生したりしなかったりするようになっている。
【００１３】
ストロボ装置１０の外観はストロボケース１８により形成されている。このストロボケース１８と回転軸１４との間には、ストロボ装置１０のポップアップ動作を駆動するポップアップスプリング２０（駆動手段、図３,４参照）が設けられている。このポップアップスプリング２０は、常時、ストロボケース１８を図１に示す位置から図２に示す位置に回転（ポップアップ動作）させるように、ストロボケース１８に弾性駆動力を付与している。本実施の形態においては、ストロボ装置１０の回転軸１４（ポップアップ回転軸）はストロボケース１８に曲面状に覆われている。
【００１４】
ストロボケース１８の、閃光発光部１６と反対側の端部には、ストロボケース１８の長軸方向とほぼ直交する方向に突出し、回転軸１４のほぼ径方向に伸びるよう突起部２２（第１突起部）がストロボケース１８に一体に形成されている。ストロボ装置１０のポップアップ動作方向の回転は、突起部２２の当接部２２ａが収納ケース１２の回転ストッパ部１２ａ（ポップアップ停止部）に当接することにより停止するようになっている。
【００１５】
逆に、ストロボ装置１０の収納ケース１２への収納方向の回転は、ストロボケース１８の下面が収納ケース１２の内側面に接触することにより停止する。このときは突起部２２が、後述する係止レバー部材２４の係止部２４ａ（突起係止部）に係止することにより、ストロボケース１８がポップアップスプリング２０の弾性駆動力により再びポップアップ動作方向に回転することを禁止することができる。
【００１６】
ここで、ストロボ装置１０の収納ケース１２への収納方向の回転は、ストロボケース１８の下面が収納ケース１２の内側面に接触することにより停止させることができるだけでなく、突起部２２の後述する係止部２２ｂ（図３参照）が、係止レバー部材２４の係止部２４ａに係止された時点で停止させるようにすることもできる。
【００１７】
図３,４は、ストロボ装置１０がポップアップ動作方向に回転したときの状態を示す斜視図である。
ストロボ装置１０の回転軸１４の下方には、係止レバー部材２４が、回転軸２６を支点にして回転することができるように設けられている。
【００１８】
係止レバー部材２４と回転軸２６との間には駆動スプリング２８が設けられていて、この駆動スプリング２８は常時係止レバー部材２４の先端部２４ｂを、下方に押し下げる方向に向って、すなわち、ストロボ装置１０の回転軸１４から遠ざかる方向に向って回転させるように弾性駆動力を付与している。
【００１９】
図３に示すように、突起部２２は同図中ストロボケース１８の幅方向のほぼ中央部に形成されており、係止レバー部材２４はその突起部２２の同図中右側に配置されている。突起部２２の同図中右側には係止部２２ｂが当接部２２ａより狭い幅で突出して形成されており、係止レバー部材２４の同図中左側には、図１，２に示すような断面を有する係止部２４ａが当接部２２ａ側に突出して形成されている。
【００２０】
ストロボ装置１０がポップアップ動作方向と反対方向に回転して、図２に示す状態から図１に示す状態になるときは、突起部２２の係止部２２ｂが係止レバー部材２４の係止部２４ａを上方に押し上げながら回転し、係止部２２ｂが係止部２４ａの位置を通り過ぎると係止部２４ａは駆動スプリング２８の弾性駆動力により下方に少し下がって停止する。
【００２１】
このため、突起部２２の係止部２２ｂが係止レバー部材２４の係止部２４ａに係止した状態となって、ストロボケース１８はポップアップスプリング２０の弾性駆動力により図２に示すようにポップアップ動作方向に回転することができないので、ストロボケース１８は図１に示す状態に維持される。
【００２２】
ストロボ装置１０を図１に示す状態から図２に示す状態に、すなわちストロボケース１８をポップアップ動作方向に回転させたいときは、係止レバー部材２４の、図３中の右端部に相当する先端部２４ｂ（ポップアップ起動部）を指先で操作して、又は、係止レバー部材２４の係止部２４ａに連接された図示しない部材を操作することにより、駆動スプリング２８の弾性駆動力に抗して少し持ち上げる。
【００２３】
すると、突起部２２の係止部２２ｂの回転軌跡から係止レバー部材２４の係止部２４ａが外れるので、係止部２２ｂは回転可能となる。このため、ストロボケース１８はポップアップ動作方向に回転することができるので、ストロボ装置１０は図１に示す状態から図２に示す状態に回転することができる。
【００２４】
図３に示すように、係止レバー部材２４の先端部２４ｂはストロボ装置１０の閃光発光部１６の対向側と反対側に突出しているので、図６,７に示すように、その先端部２４ｂはカメラの被写体側とは反対側の撮影者側に突出している。
【００２５】
図１，２，４に示すように、ストロボ装置１０の回転軸１４の図中下方位置には状態検出スイッチ３０が設けられている。また、ストロボケース１８の突起部２２の片面側には、突起部２２とは別の方向に突出していて、状態検出スイッチ３０の押圧検出部３０ａ（検出部）を押圧するスイッチ押圧部３２が形成されている。
【００２６】
このため、ストロボケース１８が図１に示す位置からポップアップ動作方向に回転して図２に示す位置に来たときは、スイッチ押圧部３２が状態検出スイッチ３０の押圧検出部３０ａを押圧するので、スイッチ押圧部３２はストロボ装置１０がポップアップ動作をした状態であることを検出することができる。
【００２７】
このように、本実施の形態によれば、ストロボ装置１０のポップアップ動作を起動する係止レバー部材２４の先端部２４ｂが、カメラ４０のケース本体４２の被写体側と反対側の撮影者側に設けられているので、撮影者はファインダ窓を覗きながらでも係止レバー部材２４の先端部２４ｂの操作を行なうことができるため、撮影作業の連続性が失われることを防止して、シャッタチャンスを逃したりカメラの操作性を劣化させる等の問題を防止することができる。
【００２８】
また、係止レバー部材２４の先端部２４ｂがストロボ装置１０の近傍に配置される場合は、撮影作業の連続性がさらに向上し、また、シャッタを操作しながらストロボ装置１０のポップアップ動作をし易い位置に、係止レバー部材２４の先端部２４ｂを配置することによっても、カメラ４０の撮影作業の連続性及び操作性が向上する。
【００２９】
また、ストロボ装置１０のポップアップ動作後の回転の位置決め停止、ストロボ装置１０のポップアップ回転前の係止、状態検出スイッチ３０のＯＮ動作を、１つの部品のストロボケース１８を用いて行うように構成されているので、部品点数が多くなることを防止することができる。
【００３０】
このため多数の部品を相互に組み立てることにより組立精度が低下したり、多数の部品組み立て工数の増加によりコストアップを招く等の問題を防止することができる。
【００３１】
なお、前記実施の形態においては係止部２４ａを有する回転式の係止レバー部材２４を設けた閃光装置設置機構について説明したが、突起部２２の係止部２２ｂに係止したり解除できる係止部を有するものであれば、回転式の係止レバー部材２４とは異なる構成、例えばスライド式の係止部材等の、他のどのような構成の部材を用いてもよい。
【００３２】
また、上記実施の形態においては、ポップアップ起動部２４ｂが係止部２４ａと一体に形成された場合について説明したが、ポップアップ起動部は係止部２４ａに連接された部材により構成されるようにしてもよい。
【図面の簡単な説明】
【００３３】
【図１】本発明の一実施の形態に係るストロボ装置１０が収納ケース１２内に収納されている状態を示す側面断面図である。
【図２】本発明の一実施の形態に係るストロボ装置１０がポップアップ動作した状態を示す側面断面図である。
【図３】本発明の一実施の形態に係るストロボ装置１０がポップアップ動作した状態を閃光発光部１６側から見た斜視図である。
【図４】本発明の一実施の形態に係るストロボ装置１０がポップアップ動作した状態をストロボケース１８の後方側から見た斜視図である。
【図５】本発明の一実施の形態に係るカメラ４０の正面図である。
【図６】本発明の一実施の形態に係るカメラ４０の側面図である。
【図７】本発明の一実施の形態に係るカメラ４０の背面図である。
【図８】本発明の一実施の形態に係るカメラ４０の斜視図である。
【符号の説明】
【００３４】
１０  ストロボ装置
１２  収納ケース
１２ａ  回転ストッパ部
１４  回転軸
１６  閃光発光部
１８  ストロボケース
２０  ポップアップスプリング
２２  突起部
２２ａ  当接部
２２ｂ  係止部
２４  係止レバー部材
２４ａ  係止部
２４ｂ  先端部
２６  回転軸
２８  駆動スプリング
３０  状態検出スイッチ
３０ａ  押圧検出部
３２  スイッチ押圧部
【図１】
2005284091.tif 000003
【図２】
2005284091.tif 000004
【図３】
2005284091.tif 000005
【図４】
2005284091.tif 000006
【図５】
2005284091.tif 000007
【図６】
2005284091.tif 000008
【図７】
2005284091.tif 000009
【図８】
2005284091.tif 000010